(57)【要約】【課題】洗濯物を広げた状態で乾燥でき、乾燥した洗濯物をその状態のまま仮置きまたは収納できるユーティリティー室を提供する。【解決手段】ユーティリティー室１０は、中央に設けられた通路１６と、通路１６の一端側に配置された乾燥スペース１８と、通路１６の他端側に配置された収容スペース２０とを有する。乾燥スペース１８は、通路１６との境界に設けられた扉２２の開閉によって開放空間または密閉空間となり、洗濯物を乾燥させる。収容スペース２０は、乾燥した洗濯物を通路１６から収容する。【選択図】図１
2019112828.tif 000002
【特許請求の範囲】
【請求項１】
中央に設けられた通路と、
前記通路の一端側に配置され、前記通路との境界に設けられた扉の開閉によって開放空間または密閉空間となり、洗濯物を乾燥させる乾燥スペースと
前記通路の他端側に配置され、乾燥した前記洗濯物を前記通路から収容する収容スペースと、
を有するユーティリティー室。
【請求項２】
請求項１において、
前記扉が透光性を備えるユーティリティー室。
【請求項３】
請求項１または２において、
前記乾燥スペースに、ヒートポンプ式乾燥機が設けられているユーティリティー室。
【請求項４】
請求項１から３のいずれかにおいて、
前記通路が、洗濯機が置かれた洗濯室から直接出入りできるユーティリティー室。
【請求項５】
請求項１から４のいずれかにおいて、
前記乾燥スペースに、奥から手前方向に向かい、前記洗濯物を掛ける複数のバーが設けられているユーティリティー室。
【請求項６】
請求項１から５のいずれかにおいて、
前記乾燥スペースおよび前記収容スペースに、ハンガーパイプが設けられているユーティリティー室。
【発明の詳細な説明】
【技術分野】
【０００１】
本発明は、住宅などで、洗濯物の乾燥、および乾燥後の洗濯物の仮置きまたは収納のための設備を備えるユーティリティー室に関するものである。
【背景技術】
【０００２】
共働き夫婦の増加に伴い、または集合住宅の管理規約や屋外物干場が確保できない事情等により、洗濯物を屋内に干したり、ドラム式温風乾燥機を用いて洗濯物を乾燥させたりする家庭が増えている。洗濯物を屋内に干すと乾燥までに時間がかかる。また、ドラム式温風乾燥機を用いて洗濯物を乾燥させると、衣類の縮みが生じるおそれがある。その上、乾燥後の洗濯物を乾燥機から取り出して、伸ばしたり、たたんだりする必要がある。
【発明の概要】
【発明が解決しようとする課題】
【０００３】
本発明はこのような事情に鑑みてなされたものであり、洗濯物を広げた状態で乾燥でき、乾燥した洗濯物をその状態のまま仮置きまたは収納できるユーティリティー室を提供することを目的とする。
【課題を解決するための手段】
【０００４】
本発明のユーティリティー室は、中央に設けられた通路と、通路の一端側に配置され、通路との境界に設けられた扉の開閉によって開放空間または密閉空間となり、洗濯物を乾燥させる乾燥スペースと、通路の他端側に配置され、乾燥した洗濯物を通路から収容する収容スペースとを有する。
【発明の効果】
【０００５】
本発明のユーティリティー室は、濡れた洗濯物を広げた状態で乾燥スペースに設置できる。また、乾燥スペースで乾燥させた洗濯物を乾燥スペースから取り出して、そのまま収容スペースに収容できる。これらの設置作業および収容作業は、乾燥スペースと収容スペースの間にある通路で行える。このため、短い動線で洗濯物の乾燥と乾燥した洗濯物の収容ができる。また、収容スペースに収容した洗濯物は、クローゼットに収納し直す必要がなく、次に使用するときに収容スペースから持ち出せる。したがって、洗濯物の乾燥から収納までの洗濯に費やす時間が大幅に削減でき、他の家事、育児、および趣味の時間等が増やせる。
【図面の簡単な説明】
【０００６】
【図１】実施形態のユーティリティー室と、洗濯室と、浴室の間取図。
【図２】図１のＩＩの方向に見た実施形態のユーティリティー室を示す図。
【図３】図１のＩＩＩの方向に見た乾燥スペースの正面図。
【図４】図１のＩＶの方向に見た収容スペースの正面図。
【発明を実施するための形態】
【０００７】
以下、本発明のユーティリティー室について、図面を参照しながら実施形態に基づいて説明する。なお、図面は、ユーティリティー室、ユーティリティー室の構成部材、およびユーティリティー室の周辺部材を模式的に表したものであり、これらの実物の寸法および寸法比は、図面上の寸法および寸法比と必ずしも一致していない。また、重複説明は適宜省略し、同一部材には同一符号を付与することがある。
【０００８】
図１は、本発明の実施形態に係るユーティリティー室１０と、ユーティリティー室１０に隣接し、洗濯機Ｌが置かれた洗濯室１２と、洗濯室１２に隣接する浴室１４とを示している。図２は、図１のＩＩの方向に見たユーティリティー室１０を示している。ユーティリティー室１０は、通路１６と、乾燥スペース１８と、収容スペース２０とを備えている。通路１６は、乾燥スペース１８および収容スペース２０に洗濯物を入れたり、乾燥スペース１８および収容スペース２０から洗濯物を出したりする作業スペースである。
【０００９】
図１に示すように、通路１６は洗濯室１２から直接出入りできる。このため、洗濯機Ｌで洗濯した後の濡れた洗濯物を、通路１６にすぐ運べる。通路１６は、ユーティリティー室１０の中央に設けられている。通路１６の床面は、例えば、縦が約８０ｃｍ、横が約１７０ｃｍの長方形である。なお、通路１６の床面の形状、広さ、および材質等は特に制限がない。
【００１０】
洗濯物を乾燥させる乾燥スペース１８は、通路１６の一端側に配置されている。乾燥スペース１８の床面は、例えば、縦が約６０ｃｍ、横が約１７０ｃｍの長方形である。なお、乾燥スペース１８の床面の形状、広さ、および材質等も特に制限がない。通路１６と乾燥スペース１８との境界には扉２２が設けられている。扉２２の開閉によって、乾燥スペース１８が開放空間または密閉空間となる。本実施形態では扉２２が引き戸である。このため、通路１６にいる作業者または乾燥スペース１８内の洗濯物によって、扉２２の開閉が制限されにくい。
【００１１】
扉２２は透光性を備えていることが好ましい。乾燥スペース１８が密閉状態であっても、通路１６から乾燥スペース１８内を見ることができるからである。本実施形態では、外枠を除いて扉２２が透明である。なお、図２では、乾燥スペース１８内の図示を省略している。扉２２の大半が透明であるため、例えば、温度計や湿度計を乾燥スペース１８に設置したときに、扉２２が閉まった状態で、乾燥スペース１８内の温度や湿度を知ることができ、洗濯物の乾燥状況を大まかに把握できる。また、扉２２を開けなくても、乾燥スペース１８内に洗濯物が有るかどうかを確認できる。
【００１２】
乾燥スペース１８には乾燥装置が設けられている。本実施形態では、乾燥スペース１８の天井に、冷却器と加熱器を備えるヒートポンプ式乾燥機２４が設けられている。ヒートポンプ式乾燥機２４は、例えば約６５℃の乾いた温風を天井から洗濯物にあてて、洗濯物から奪った水分を含む空気を冷却器に回収し、冷却器でこの空気を冷やして結露させて除湿し、除湿した空気を加熱器で温めて乾いた温風にし、乾いた温風を再び洗濯物にあてることを繰り返す。なお、結露によって生じた水分は、ユーティリティー室１０の外部、例えば屋外に排出される。
【００１３】
乾燥スペース１８の天井に乾燥装置が設けられているため、乾燥スペース１８が狭くならない。また、天井に乾燥装置が設けられた乾燥スペース１８では、壁面に乾燥装置が設けられた乾燥スペースと比べて、全ての洗濯物が速く乾燥する。そして、乾燥装置がヒートポンプ式乾燥機２４であるため、ヒーター式乾燥機、例えば、約１００℃の熱風を洗濯物にあてる乾燥機と比べて、洗濯物が縮みにくく、洗濯物が速く乾き、さらに消費電力が抑えられる。ヒートポンプ式乾燥機２４を操作する操作パネル２６は、通路１６の突き当たりの壁面に設けられている。このため、操作パネル２６が操作しやすい。また、洗濯室１２から操作パネル２６を見ることができ、ユーティリティー室１０に入らなくても、ヒートポンプ式乾燥機２４が作動しているかどうかを洗濯室１２で確認できる。
【００１４】
図３は、洗濯物を設置した乾燥スペース１８を、扉２２を省略して、図１のＩＩＩの方向で示している。乾燥スペース１８は、上部の手前および奥行の中ほどに、水平方向のパイプ２８，３０がそれぞれ設けられている。手前のパイプ２８には、例えば、バスタオル３２やシーツ等の薄手の大きな洗濯物を掛ける。中ほどのパイプ３０はハンガーパイプであり、衣類Ｃなどを装着したハンガーを掛ける。手前のパイプ２８に薄手の大きな洗濯物が、中ほどのパイプ３０に衣類ハンガーがそれぞれ掛けられるので、乾燥スペース１８で一度に多くの洗濯物が乾燥できる。
【００１５】
また、乾燥スペース１８の下部には、奥から手前方向に水平に向かう複数のバー３４が設けられている。すなわち、複数のバー３４の一端は、乾燥スペース１８の奥の壁面に固定されている。図３に示すように、これらのバー３４には、タオル３６、靴下３８、トランクス４０やブリーフ等の下着、および靴などが掛けられる。乾燥スペース１８の下部に奥から手前方向に向かう複数のバー３４が設けられているため、乾燥スペース１８の上部と下部を使って効率的に洗濯物が乾燥できる。
【００１６】
なお、バー３４は、奥の壁面の方向に折りたためるようにしてもよい。複数のバー３４の少なくとも一部を折りたためば、浴衣やワンピース等の丈が長い衣類を装着したハンガーをパイプ３０に掛けたときに、バー３４が邪魔にならない。なお、本実施形態の乾燥スペース１８のパイプ２８，３０やバー３４は一例であり、これら以外の洗濯物の設置用具を乾燥スペース１８に設けてもよい。さらに、乾燥スペース１８に洗濯物の設置用具を設けずに、例えば、洗濯室１２でキャスター付きのハンガーバーに洗濯物を掛けた後、乾燥スペース１８にこのハンガーバー自体を移動して、洗濯物を乾燥させてもよい。
【００１７】
収容スペース２０は、図１に示すように、通路１６の他端側、すなわち、通路１６を挟んで乾燥スペース１８と反対側に配置されている。収容スペース２０の床面は、例えば、縦が約６０ｃｍ、横が約１７０ｃｍの長方形である。なお、収容スペース２０の床面の形状、広さ、および材質等も特に制限がない。本実施形態では、通路１６と収容スペース２０との境界を仕切る扉等の仕切部材が設けられていないが、これらの境界に仕切部材を設けてもよい。
【００１８】
収容スペース２０は、乾燥スペース１８で乾燥した洗濯物を通路１６から収容する。収容スペース２０に収容した洗濯物を仮置きとし、後で洗濯物を運搬してクローゼット等に収納してもよいし、収容スペース２０を衣類Ｃなどの収納場所としてもよい。例えば、収容スペース２０を下着の収納場所とすれば、入浴の際に下着を交換するとき、脱衣室でもある洗濯室１２からユーティリティー室１０に入って下着が取り出せるので、クローゼット等から下着を運搬する手間が省ける。
【００１９】
収容スペース２０の上部にもハンガーパイプ４２が設けられている。このため、ハンガーに掛けて乾燥スペース１８で乾燥させた洗濯物を、ハンガーごと収容スペース２０のハンガーパイプ４２に掛け替えられる。この掛け替え作業は通路１６で行える。したがって、短時間にかつ短い動線で、乾燥した洗濯物が収容できる。収容スペース２０の下部左側には、金属ネットで構成される６つの引き出し４４が設けられている。引き出し４４には、下着、タオル、バスタオル、シーツ、靴下、およびハンカチ等のハンガーに掛けない物を収納する。もちろん、ハンガーに掛けられる衣類Ｃを引き出し４４に収納してもよい。
【００２０】
収容スペース２０の下部右側にもハンガーパイプ４６が設けられている。ハンガーパイプ４６には、乳幼児等が着用する小さい衣類Ｗを装着したハンガーを掛ける。なお、本実施形態の収容スペース２０のハンガーパイプ４２，４６や引き出し４４は一例であり、これら以外の洗濯物の収容用具、または洗濯物の関連用具を収容スペース２０に設けてもよい。例えば、洗濯バサミ、アイロン、アイロン台、または裁縫道具等を収容スペース２０に設けてもよいし、ハンガーパイプ４２，４６や引き出し４４を収容スペース２０に設けずに、洗濯物が掛けられたキャスター付きのハンガーバーを乾燥スペース１８から収容スペース２０にそのまま移動して、洗濯物を収容してもよい。
【符号の説明】
【００２１】
１０    ユーティリティー室
１２    洗濯室
１４    浴室
１６    通路
１８    乾燥スペース
２０    収容スペース
２２    扉
２４    乾燥機
２６    操作パネル
２８，３０  パイプ
３２    バスタオル
３４    バー
３６    タオル
３８    靴下
４０    トランクス
４２    ハンガーパイプ
４４    引き出し
Ｌ      洗濯機
Ｃ，Ｗ  衣類
【図１】
2019112828.tif 000003
【図２】
2019112828.tif 000004
【図３】
2019112828.tif 000005
【図４】
2019112828.tif 000006